(57)【要約】【課題】居室空間の環境整備等を積極的に改善・対策する空調補助用および空気清浄化用のファン装置を提供する。【解決手段】建物の屋外に面した窓ガラス１の内側に窓空間を区画形成する遮蔽装置６と、床面４または、および窓台２８の一部として構成・配置し、かつ集塵型フィルタ、ケミカルフィルタを備えたファン装置８とを備え、居室の空調機とファン装置８との運転制御（連動〜選択）によって多機能化して居室３内および窓空間７内に夫々の循環風路１２、１３を生じせしめ、居室３の快適性を格段に向上させることを特徴とする空調補助用および空気清浄化用のファン装置を提供する。【選択図】図１
2005055110.tif 000002
【特許請求の範囲】
【請求項１】
建物の屋外に面した窓ガラスと、前記窓ガラス内側に窓空間を区画形成する遮蔽装置と、床面または、および窓台の一部として構成・配置するファン装置とを備え、前記ファン装置は、居室内下部の空気を前記ファン装置内のファンの下部より吸気し、かつ前記ファンの上部より前記居室内上方へ吹出し、同時に前記窓空間の前記遮蔽装置の下端部からのコールドドラフトを前記ファン装置の吹出しによって前記遮蔽装置の屋内側を上方へ吹き上げ、前記居室内の前記空気の循環風路を形成して前記居室環境を快適に保持することを特徴とする空調補助用および空気清浄化用のファン装置。
【請求項２】
ファン装置内のファンの上部に配置した集塵型フィルタおよびケミカルフィルタと、前記ファン装置内に配置し、かつ空気中のケミカル汚染物質をリアルタイムに検出するケミカル汚染検出センサと、前記ケミカル汚染検出センサの検出を受けて前記ファン装置内の前記集塵型フィルタまたは、および前記ケミカルフィルタへ分流させる空気の通気路開閉手段の駆動装置を制御する制御装置を具備することを特徴とする請求項１記載の空調補助用および空気清浄化用のファン装置。
【請求項３】
制御装置は、ケミカル汚染検出センサがケミカル汚染物質を検出したときは、空調機運転の有無およびコールドドラフトの有無に関わらず、ファンを駆動し、同時に通気路開閉手段によって空気がケミカルフィルタ側を通気し、および紫外線ランプを点灯することを特徴とする請求項１または２記載の空調補助用および空気清浄化用のファン装置。
【請求項４】
制御装置は、窓空間のコールドドラフトを生じたときは、空調機運転の有無およびケミカル汚染検出センサによる前記ケミカル汚染物質の検出の有無に関わらず、ファンを駆動することを特徴とする請求項１または２記載の空調補助用および空気清浄化用のファン装置。
【請求項５】
制御装置は、窓空間のコールドドラフトを生じなく、かつケミカル汚染検出センサによるケミカル汚染物質の検出のないときは、空調機運転の有無に関わらず、ファンを駆動しないことを特徴とする請求項１または２記載の空調補助用および空気清浄化用のファン装置。
【請求項６】
制御装置は、ケミカル汚染検出センサがケミカル汚染物質を検出したとき、または、および窓空間にコールドドラフトを生じたときは、居室の空調機運転の有無に関わらず、ファン装置内のファンを駆動して前記居室環境を快適に保持することを特徴とする請求項１または２記載の空調補助用および空気清浄化用のファン装置。
【発明の詳細な説明】
【技術分野】
【０００１】
本発明は、建物の窓ガラスの内側の遮蔽装置によって区画形成された窓空間における特に冬季のコールドドラフト（クールダウン、冷気流）を防ぎ、居室内においてケミカル汚染物質を検出した時にリアルタイムにこのケミカル汚染物質を除去し、空調機とともに快適な居室環境を現出・保持することを特徴とする空調補助用および空気清浄化用のファン装置に関するものである。
【背景技術】
【０００２】
従来、屋外に面した窓際（窓空間）のエアバリアファン装置に関しては、各種のものが提案され、既に知られている。
【０００３】
例えば、特に冬季において、屋外に面した窓ガラスの窓際のコールドドラフトは、それ自身の下降しようとする性状と相俟って、窓付近の上部から下方へ向かう空気調和後の温かい空気で下方へ追いやると同時に、室内下部の送風装置で吸引して床下空間へ送り出し、それを下側吸気装置を構成する空気調和装置で吸い込んで空気調和処理した後に室内に戻すことができ、冷輻射の影響を有効に低減させるものがある（例えば、特許文献１参照）。
【０００４】
また、冬季、屋外の冷気が窓に伝達することによって室内側の熱を奪おうとするが、密閉空間で発生している空気の流れによって冷えた空気が天井裏に排気され、しかも、スクリーンによって室内の空気が窓側に移動するのを遮断して、室内の温度が変化せず、快適性を維持するものがある（例えば、特許文献２参照）。
【０００５】
さらに、既に建築された建物の中で使用されている現有の空調機に対して、簡易な工事で、特に冬季のコールドドラフト対策を有効に現出・保持する空調補助用の円筒状ファン装置が提案されている（例えば、特許文献３参照）。
【特許文献１】特開２００２−９８３８３号公報（第７−８頁、第６−７図）
【特許文献２】特開２０００−３３７０５２号公報（第３頁、第１、５図）
【特許文献３】特願２００２−３７２２４８号公報（第３−７頁、第１−４図）
【発明の開示】
【発明が解決しようとする課題】
【０００６】
以上のように、従来から窓際のエアバリア換気システムやその送風装置等の種々の発明が既に提案されているが、これらの背景技術は、その結露防止や空調方法についてシステム的に快適な居室空間を構成するものであって、これらの点については確かに夫々に有用・特異性を有するものと考えられる。
【０００７】
しかしながら、殊にファン装置によるケミカル汚染物質の除去や、空調機との運転制御（連動〜選択）については、これら背景技術のいずれにもその記載がなく、したがって、この意味で暖房・空調効果、空気清浄化やその管理・保持等の点で課題が生じていることになる。
【０００８】
本発明は、このような課題に鑑みなされたもので、床面または、および窓台の一部として構成・配置したファン装置と、建物の空調機（天井裏や天井取付け型、パッケージ型や床置き型等の如何を問わず）とともに、多機能化に運転制御（連動〜選択）することによって、高気密化された居室空間の快適な居室環境（特に冬季のコールドドラフト対策、リアルタイムのケミカル汚染対策）を有効に現出・保持する構成の空調補助用および空気清浄化用のファン装置を提供するものである。
【課題を解決するための手段】
【０００９】
本発明の空調補助用および空気清浄化用のファン装置は、建物の屋外に面した窓ガラスと、前記窓ガラス内側に窓空間を区画形成する遮蔽装置と、床面または、および窓台の一部として構成・配置するファン装置とにおいて、前記ファン装置は、居室内下部の空気を前記ファン装置内のファンの下部より吸気し、かつ前記ファンの上部より前記居室内上方へ吹出し、同時に前記窓空間の前記遮蔽装置の下端部からのコールドドラフトを前記ファン装置の吹出しによって前記遮蔽装置の屋内側を上方へ吹き上げ、前記居室内の前記空気の循環風路を形成して居住環境を快適に保持することを特徴とするものである。
【発明の効果】
【００１０】
本発明の空調補助用および空気清浄化用のファン装置は、建物の屋外に面した窓ガラスの内側に遮蔽装置とファン装置とを設けることによって、窓空間内と居室内とに有効な循環風路を形成することができる。このことは、冬季において空調機による暖房を補助し、同時にコールドドラフト対策となり、快適な居室環境を現出・保持することができる。
【００１１】
さらに、床面または、および窓台の一部として（一体化して）構成・配置するファン装置が、床面や窓台から突出することによる居室内の美観（違和感）を損なうことがなくなる。
【発明を実施するための最良の形態】
【００１２】
請求項１に記載の本発明によれば、
１）建物の屋外に面した窓ガラス内側の遮蔽装置によって、屋外からの冷気・熱気の居室内（空調効果）への直接の弊害を除去できる。
【００１３】
２）冬季において、居室内下部（床面上等）に漂う冷気をファン装置によって吸気して上方へ吹き上げ、居室内の空気の循環風路（空調機による）をより流動・強制・積極的に生じせしめることができる。
【００１４】
３）同時に遮蔽装置の下端部の所定の位置にファン装置を配置することによって、窓空間からのコールドドラフトを（受けて）上方へ吹き上げて冷気の居室内下部（床面）への流入を遮断（方向転換）し、かつ遮蔽装置の上部から居室内の暖気を混合して窓空間の循環風路を生じる。したがって、ファン装置によって窓空間からのコールドドラフトを緩和・混合・排除することができる。
【００１５】
つまり上記２）、３）により、ファン装置が空調機と連動して居室・窓空間内の空気を循環（風路）するので、居室内の隙間風・底冷え的な不快感・弊害を除去し、温度（分布）差のない暖房効果を補助・向上せしめ、快適な居室環境状態（暖房効果）を現出・保持することができる。
【００１６】
４）床面または、および窓台の一部として（一体化して）構成・配置するファン装置が、床面や窓台から突出することによる居室内の美観（違和感）を損なうことがなくなる。
【００１７】
請求項２に記載の本発明によれば、
１）ケミカル汚染検出センサが、空気中のケミカル汚染物質の成分、濃度、その増減（変動）変化状況をリアルタイムに監視し、いかなる異変に対しても対応でき、常に一定の濃度以下に抑えて空気の清浄化が維持できる。
【００１８】
２）ケミカルフィルタは、ダンパーによってケミカル汚染物質の検出時にのみ使用する（パーティクル汚染物質のみの検出時は使用しない）ので、長い使用期間（メンテナンスの軽減化等）が得られ、したがって低価格のランニングコスト等の効用が得られる。
【００１９】
請求項３に記載の本発明によれば、
１）ケミカル汚染物質の除去を最優先する制御（コールドドラフト防止、空調機運転とから切り離した制御）を行なって、居室空間の快適性を保持できる。
【００２０】
２）空気中のケミカル汚染物質を優先的・積極的に捕捉（吸着・捕獲）し、ケミカルフィルタによる除去効果を最適に高めることができる。さらに、光触媒（フィルタ）の表面を紫外線ランプが照射することにより、表面に吸着したケミカル汚染物質を分解・除去でき、吸着性（化学結合）が常に再生され、使用期間（寿命）が長く維持できる。
【００２１】
請求項４に記載の本発明によれば、
１）冬季のコールドドラフトを防ぐことを最優先する制御（ケミカル汚染防止、空調機運転とから切り離した制御）を行なって、居室空間の快適性（空調効果の撹乱を防いで）が保持できる。
【００２２】
請求項５に記載の本発明によれば、
１）ファン（装置）は、コールドドラフト防止およびケミカル汚染防止の両対策時に限定（パーティクル汚染防止対策の運転制御はしない）して運転制御するので、省力・省エネ化や静音化が図れる。
【００２３】
請求項６に記載の本発明によれば、
１）冬季を中心にして、空調機能、コールドドラフト防止機能、およびパーティクル〜ケミカル汚染防止機能を絡ませた自動制御を行う中で、コールドドラフト防止およびケミカル汚染防止の両対策（時）を最優先して制御する。もちろん、空調機による温度、湿度、換気等の諸機能（これらは、空調機の主機能であることには違いないが）を軽視する訳ではないが、その機能よりも前２者の機能を最優先させるという技術思想に基づくものであり、したがって、より快適な居室環境を維持・現出できる。
【実施例１】
【００２４】
以下、本発明の空調補助用および空気清浄化用のファン装置の各実施例について、図面を用いて説明する。
【００２５】
図１は、本発明の第１の実施例の建物２内のファン装置８による、主に空調補助の動作状況を説明する縦断面概要図である。
【００２６】
図１において、１は建物（例えば、全面がガラス張りの建物）２の屋外に面した窓ガラスを示したものである。
【００２７】
３は、屋内側の居室を示し、床面４及び天井５によって構成されている。６は、遮蔽装置（例えば、屋外の日射・熱気・寒気等を防ぐロールブラインド、スラット（式）ブラインドやカーテンの類）を示し、屋外に面した窓ガラス１の内側との間に窓空間７を区画形成（エアバリア空間を形成）している。遮蔽装置６の上端部は、天井５部に支持・取付けられ、適宜の位置に下端部９が昇降（操作）され、開閉される。
【００２８】
８は、ファン装置を示し、遮断装置６の下端部９と窓台２８との間の（スリット状の）間隙１０に対応する（詳細は、後述する）ように配置され、設置される。つまり、ファン装置８の配置は、遮蔽装置６の下端部９より下方に、かつ遮蔽装置６より内側の居室３側に設置する（後述の本発明の他の実施例２・実施例３においても、同じ）。
【００２９】
ファン装置８は、図１において、窓台２８の一部としての構成を示しているが、床面４の一部等として構成（図示しない）してもよい。このように窓台２８または、および床面４の一部として（一体化して）構成・配置するので、突出することによる居室３内の美観（違和感）を損なうことがなくなる。
【００３０】
１２は、居室３内の空調機（図示しない）、およびファン装置８による空気の循環風路を示し、１３は、窓空間７内のファン装置８による空気、およびコールドドラフト１４の循環風路を示している。
【００３１】
冬季の場合、居室３内の空調（暖房）は空調機によってなされるが、居室３下部の床面４に停滞した冷気は、ファン装置８の吸気〜吹出作用（運転）によって、空調機（暖気の送風）を補助して空気の循環風路１２を積極的に形成する。つまり、ファン装置８は、冷気を居室３内の床面４部に滞留・停滞させない（居室３内の空気を全体的に循環・流動させる）こととなる。したがって、空調機とファン装置８（および遮蔽装置６）とによって、居室３内の空気の循環・混合を積極的に行い、暖房運転の高効率（省エネ）化・温度分布の均等化・理想的な頭寒足熱を目指すことができることになる。
【００３２】
同時に、このファン装置８は、窓空間７の遮蔽装置６の下端部９（の間隙１０）からのコールドドラフト１４をファン装置８（後述の図２の吹出口１７、覆板２０）が受けて、居室３側の空気の吹出作用（運転）によって居室３内の上方（遮蔽装置６の内側を）へ合流（混合）して吹き上げ（方向転換）られ、居室３内上部の暖気（天井５部で、大部分は居室３内への循環風路１２となるが、その一部は窓空間７への循環風路１３とに分かれる）とともに、窓空間７内への空気の循環風路１３を形成する。つまり、コールドドラフト１４の居室３内下部（床面４等）への流れ込みを遮断して、空調機による暖房効果の阻害（要因）をも防ぐことができる。
【００３３】
図２は、図１（および図４、図５にも共通）のファン装置８によって空調補助および空気清浄化の動作を行う細部を示す縦断面拡大概要図である。
【００３４】
図２において、ファン装置８は、その内部に例えばクロスフローファン（空調機等に用いられている吹出し用のクロスフロー方式のプッシュファン）を備えたファン１８やその駆動装置、操作・運転（制御）装置等を、例えば縦断面が円筒状（や角柱状）のケーシング１５に内装・外装したものを主体とし、更にその周辺に各種フィルタ（後述する）等の部材を備えたもので構成している。ファン装置８は、仮にこれらを総称するものとする。
【００３５】
ケーシング１５には、吸気口１６、吹出口１７が夫々開口され、矢印（方向）は前述の循環風路１２の一部を成している。
【００３６】
本発明の一実施例において、例えばファン１８のケーシング１５の最外径は１２０mmφ、内装のクロスフローファンの長さは３００mm、および５００mmのものが用いられ、建物２の基盤に固定された支柱１１上に載置されている。また、運転（スイッチ用）の操作盤（図示しない）、メンテナンス用等に該部にカバー（例えば、開閉蓋。図示しない）等を適宜に設けたものである。
【００３７】
ファン１８のケーシング１５の吸気口１６、吹出口１７は、いずれも、例えば円周方向にスリット状に並行に並べて開口したもので、吸気口１６の吸気角度は、居室３内の床面４に向けて設定され、吹出口１７の吹出角度（方向）は、垂直上方に設定されている。
【００３８】
なお、例えば、ファン１８の送風速度（内装のクロスフローファンの長さが５００mmの場合）は２ｍ／sec、送風量は１５０〜２００ｍ3／ｈに設定されている。これらの各設定値（各寸法や運転条件）は、遮蔽装置６がファン装置８の運転による送風の影響を受けて、振れ・揺れたり、騒音を発したりしない（居住者に不快感を与えるような状態にならない）ように設計されている。
【００３９】
ファン装置８の運転によって、空調（例えば、暖房）された居室３内の空気が、ファン１８の吸気口１６から吸気（吸引）され、吹出口１７から吹出される。
【００４０】
ファン装置８の外郭の外装材（やファン１８のケーシング１５）の材質は、強度から金属製（例えば、アルミ押出型材。塗装や皮膜処理等も可能）を基本とするが、クロスフローファン等の電気器具を内装しているので、当然にファン装置８としての接地は欠かせない要件となるのは明白である。この意味では、材質を樹脂製（設置表示等を考慮した着色も自由となる）とするのも可能である。
【００４１】
２１は、集塵型フィルタを示し、ファン装置８の外郭の外装材の入口側と出口側とに設置され、ＵＬＰＡフィルタ、ＨＥＰＡフィルタ、中性能フィルタ等で成り、居室３内の循環風路１２の塵埃等のパーティクル汚染物質を除去するものである。
【００４２】
なお、２０は、覆板を示し、例えばスリット状に開口したものとし、網板等で覆うこともできる。
【００４３】
２２は、ケミカルフィルタを示し、ファン装置８の出口側に設置され、光触媒（フィルタ）等で成り、居室３内の空気中（循環風路１２）の有機ガス（溶剤等）、臭気成分等のケミカル（分子状）汚染物質を除去するものである。光触媒フィルタは、例えば多数の通気孔を有するハニカム構造とされ、その各通気孔の内周表面には酸化チタンや酸化亜鉛等でなる光励起触媒物質が塗布或いは添着され、ケミカル汚染物質の吸着型フィルタを構成している。
【００４４】
つまり、各通気孔の内周面（表面）に処理流体としてのケミカル汚染空気が吸着（化学結合）〜分解され、紫外線ランプ２４によって紫外線が各通気孔の内周表面を照射して光励起触媒物質による触媒作用が付与され、空気清浄化、脱臭効果や殺菌効果が得られる。
【００４５】
２３は、ケミカル汚染（成分）検出センサを示し、ファン１８の入口側と出口側とに設置される。ケミカル汚染（成分）検出センサ２３としては、例えばＳｉＯ2 表面へのケミカル汚染物質の付着（量や速度）をリアルタイムに検出（連続モニタリング）し、その汚染レベルや挙動パターンのデータが得られるものがある。また、水晶振動子の共振周波数の変化からケミカル汚染度（量・濃度）をリアルタイムでモニタするものもある。
【００４６】
そして、ケミカル汚染検出センサ２３が、ケミカル汚染物質を検出しないときは、ダンパー駆動装置２６によってダンパー（通気路開閉手段）２５がケミカルフィルタ２２側の通気路の循環風路１２を閉じる（詳細は、後述の図３による）。つまり、ケミカル汚染物質を検出しないときは、循環風路１２は集塵型フィルタ２１のみを通過することになる。
【００４７】
一方、ケミカル汚染検出センサ２３が、ケミカル汚染物質を検出したときは、そのダンパー駆動装置２６によってダンパー（通気路開閉手段）２５がケミカルフィルタ２２側の通気路の循環風路１２を開ける（詳細は、後述の図３による）。
【００４８】
つまり、通気路の循環風路１２は、ケミカルフィルタ２２及び集塵型フィルタ２１を通過することになる。この場合、空気中のケミカル汚染物質の成分や濃度（量）の多少、その増減（変動）変化状況に応じて、ダンパー２５の開閉（開き角度）を加減し、通気路の循環風路１２が両フィルタ（２１，２２）を分流（通気）するように制御することもできるものである。
【００４９】
このように本実施例は、空気中のケミカル汚染物質のみをリアルタイムに監視し、その成分・濃度等に応じてケミカルフィルタ２２通過量を自在に可変・最適化し、ケミカルフィルタ２２にパーティクル汚染物質が不必要に通過するのを制限することができる。つまり、考え方として、居室３内の空気汚染についてケミカル汚染物質を優先（例えば、偏差値を設けて）し、必要に応じて（高価な）ケミカルフィルタ２２を使用（限定）するのが望ましい。
【００５０】
前述したように、ファン装置８は、もともとはコールドドラフト１４対策専用（背景技術）のものである。が、本発明において、ファン装置８は、居室３の空調機の空調（機）補助用、および空気清浄化（主にケミカル汚染対策）用を兼ねて運転制御されるものである。
【００５１】
殊にケミカル汚染に注目したのは、一般的に最近の居室３が外気と遮断され、益々高気密（や高断熱）空間となりつつある中で、列挙にキリがない（人の出入り、喫煙、台所、ダニやカビの類、建材・生活用品、接着剤…等々）ほど空気が汚染されているといっても過言ではない。
【００５２】
このような中で、快適な居室環境を追求すると、静穏・温度（差や分布）・湿度・換気・パーティクル汚染等の他に、どうしてもケミカル汚染に行き当たり、本発明に至ることになる。
【００５３】
また、本発明（各実施例）の居室３を広義に考えると、例えば、一般的な住居の他に、集合所、作業所、宿泊所、事務所、病院〜演劇場等の建物（空間）が該当することであり、これらを総称したものとして定義する。
【００５４】
さらに、ファン装置８に、マイナスイオン発生機能や加熱ヒータ等を付加しても良いと考えられる。
【００５５】
図３は、図１（および図４、図５）および図２のファン装置８の空調補助および空気清浄化の制御動作を示すフロー図である。
【００５６】
ファン装置８の制御（動作）は、居室３の空調機の運転の有無に関わらず、コールドドラフト１４または、およびケミカル汚染を生じたときは、ファン装置８を優先的に運転するものである。
【００５７】
つまり、ケミカル汚染を常に監視・防止し、または、およびコールドドラフト１４による居室３への吹き込みを防止するので、居室３空間を常に快適に維持することができる。この場合、もちろん、空調機による温度、湿度、換気等の諸機能（これらは、空調機の主機能であることには違いないが）を軽視する訳ではないが、その機能よりも前２者の機能を最優先させるという技術思想に基づく（自動）制御方法であり、したがって、より快適な居室環境を維持・現出できる。
【００５８】
ここに、ケミカル汚染物質の検出は、ケミカル汚染（検出）センサ２３によるが、コールドドラフト１４の検出については、別の検知センサ（図示しない）を窓空間７内や屋外等に適宜に設ければよい。
【００５９】
言うまでもないが、ファン装置８の運転（制御）操作は、空調機との連動の有無の選択や、送風量（送風速度）の強〜中〜弱の選択、手動〜自動運転の切替え、タイマー運転の選定等が、運転の操作盤（図示しない）によって自在に出来るものとする。
【００６０】
以上、冬季を中心にして詳述したが、夏季や春・秋季についても言及しないが、状況（必要）に応じて空調機、ファン装置８の運転や、遮蔽装置６の操作等を同様にして適宜に選択することとなる。
【００６１】
このことによって、本発明によれば、冬季を中心にして、空調機能、コールドドラフト防止機能、およびパーティクル〜ケミカル汚染防止機能を絡ませた自動制御を行う中で、コールドドラフト防止およびケミカル汚染防止の両対策時に最優先して運転（制御）し、省力・省エネ効果をより一層高めることができる。
【実施例２】
【００６２】
図４は、本発明の第２の実施例の建物３２内のファン装置８による、主に空調補助の動作状況を説明する縦断面概要図である。
【００６３】
図４において、３１は建物（例えば、出窓ガラスの建物）３２の屋外に面した窓ガラスを示したものである。
【００６４】
なお以下の説明において、図１、図２と同一の符号・構成・作用等については、省略する。
【００６５】
遮蔽装置６は、屋外に面した窓ガラス３１の内側との間に窓空間３７（出窓部分）を区画形成している。ファン装置８は、遮断装置６の下端部９と窓台３８の出窓棚部との間の（スリット状の）間隙１０に対応するようにその設置がなされ、この設置は、遮蔽装置６の下端部９より下方に、かつ遮蔽装置６より内側の居室３側に配置される。
【００６６】
ファン装置８の運転（制御）によって、第１の実施例と同様に、居室３内の床面４部に漂う空気（冷気）を（図２のファン１８の吸気口１６から吸気し、吹出口１７より）上方に吹出し、コールドドラフト１４の流れ込みを遮断する。
【００６７】
ファン装置８は、窓台２８の一部として構成しているが、床面４の一部等として構成してもよい。
【実施例３】
【００６８】
図５は、本発明の第３の実施例の建物６２内のファン装置８による、主に空調補助の動作状況を説明する縦断面概要図である。
【００６９】
図５において、６１は建物（例えば、普通の窓ガラスの建物）６２の屋外に面した窓ガラスを示したものである。
【００７０】
以下の説明において、図１、図２と同一の符号・構成・作用等については省略する。
遮蔽装置６は、屋外に面した窓ガラス６１の内側との間に窓空間６７を形成している。ファン装置８は、遮断装置６の下端部９と窓台６８との間の（スリット状の）間隙１０に対応するように設置がなされ、この設置は、遮蔽装置６の下端部９より下方に、かつ遮蔽装置６より内側の居室３側に配置される。
【００７１】
ファン装置８の運転（制御）によって、第１〜第２の実施例と同様に、居室３内の床面４部の空気（冷気）を（図２のファン装置１８の吸気口１６から吸気し、吹出口１７より）上方に吹出し、コールドドラフト１４の流れ込みを遮断する。
【００７２】
ファン装置８は、窓台２８の一部として構成しているが、床面４の一部等として構成してもよい。
【産業上の利用可能性】
【００７３】
従来はコールドドラフト対策用に取付けるファン装置であるが、本発明のファン装置は、空調機とともに夫々の運転制御を絡ませて多機能化することにより、一年中を通じてより快適な居室環境状態を現出・保持するが、各種建物の居室以外への用途や、自動車・旅客機・船舶等への用途、動物〜植物〜食物等への用途にも適用できる。
【図面の簡単な説明】
【００７４】
【図１】本発明の第１の実施例の建物内のファン装置による、主に空調補助の動作状況を説明する縦断面概要図
【図２】図１（および図４、図５）のファン装置によって空調補助および空気清浄化の動作を行う細部を示す縦断面拡大概要図
【図３】図１（および図４、図５）および図２のファン装置の空調補助および空気清浄化の制御動作を示すフロー図
【図４】本発明の第２の実施例の建物内のファン装置による、主に空調補助の動作状況を説明する縦断面概要図
【図５】本発明の第３の実施例の建物内のファン装置による、主に空調補助の動作状況を説明する縦断面概要図
【符号の説明】
【００７５】
１，３１，６１  窓ガラス
２，３２，６２  建物
３  居室
４  床面
５  天井
６  遮蔽装置（ブラインドやカーテンの類等）
７，３７，６７  窓空間
８  ファン装置
９  下端部
１０  間隙
１１  支柱
１２  循環風路
１３  循環風路
１４  コールドドラフト（クールダウン）
１５  ケーシング
１６  吸気口
１７  吹出口
１８  ファン
２０  覆板
２１  集塵型フィルタ
２２  ケミカルフィルタ
２３  ケミカル汚染（成分）検出センサ
２４  紫外線ランプ
２５  ダンパー（通気路開閉手段）
２６  ダンパー駆動装置
２８，３８，６８  窓台
【図１】
2005055110.tif 000003
【図２】
2005055110.tif 000004
【図３】
2005055110.tif 000005
【図４】
2005055110.tif 000006
【図５】
2005055110.tif 000007